(57)【要約】【課題】本開示は、嵌合具を閉鎖した後に、袋内に空気が入り込みにくく、かつ、袋内の圧力上昇などによって嵌合具の咬合を外そうとする力が加わったとき、嵌合具が外れることを防止することができる気密性を有する嵌合具付き袋を提供することを目的とする。【解決手段】本開示に係る嵌合具付き袋１００は、収容部４と開口部１とを有する包装袋８と、嵌合具２，３と、を備え、嵌合具は、雌基部１０と雌部１１とを有する雌部材１２と、雄基部１３と雄部１４とを有する雄部材１５と、を有し、嵌合具の少なくとも一つは、雌部１１として一対の雌鉤爪と、雄部１４として一対の雄鉤爪と、一対の雌鉤爪の内側に設けられた一対の突壁部５１と、一対の雄鉤爪の内側に設けられた突条部５２と、を有する第１の気密嵌合具Ｚ１であり、第１の気密嵌合具は、一対の突壁部が雌基部から突出しており、かつ、一対の雌鉤爪が一対の突壁部の外側の側面から突出している。【選択図】図２
2019202792.tif 000002
【特許請求の範囲】
【請求項１】
合成樹脂製の表側フィルム及び裏側フィルムよりなる収容部と開口部とを有する包装袋と、前記開口部の縁に沿って前記表側フィルムと前記裏側フィルムの内側面にそれぞれ設けられた帯状の嵌合具と、を備え、
該嵌合具は、帯状の雌基部と該雌基部の長手方向に沿って設けられた雌部とを有する雌部材と、帯状の雄基部と該雄基部の長手方向に沿って設けられた雄部とを有する雄部材と、を有する嵌合具付き袋において、
前記嵌合具の少なくとも一つは、前記雌部として一対の雌鉤爪と、前記雄部として一対の雄鉤爪と、前記一対の雌鉤爪又は前記一対の雄鉤爪のいずれか一方の内側に設けられた一対の突壁部と、前記一対の雌鉤爪又は前記一対の雄鉤爪のいずれか他方の内側に設けられた突条部と、を有し、前記一対の雌鉤爪と前記一対の雄鉤爪とが係合して係合部を形成すると同時に前記突条部の前記開口部側の側面の少なくとも一部が前記一対の突壁部の内側の側面のうち前記開口部側の側面に当接し、かつ、前記収容部側の側面の少なくとも一部が前記一対の突壁部の内側の側面のうち前記収容部側の側面に当接して密接部を形成する第１の気密嵌合具であり、
該第１の気密嵌合具は、前記一対の突壁部又は前記突条部が、前記雌基部から突出しており、かつ、前記一対の雌鉤爪が、前記一対の突壁部の外側の側面又は前記突条部の側面から突出していることを特徴とする嵌合具付き袋。
【請求項２】
前記一対の突壁部は、前記一対の雌鉤爪の内側に設けられ、
前記突条部は、前記一対の雄鉤爪の内側に設けられることを特徴とする請求項１に記載の嵌合具付き袋。
【請求項３】
前記嵌合具付き袋は、前記嵌合具として、前記開口部の縁側に設けられた上嵌合具と前記収容部側に設けられた下嵌合具との２本の嵌合具を有し、
該２本の嵌合具のいずれか一方又は両方の嵌合具が、前記第１の気密嵌合具であることを特徴とする請求項１又は２に記載の嵌合具付き袋。
【請求項４】
前記嵌合具付き袋は、前記嵌合具として、前記開口部の縁側に設けられた上嵌合具と前記収容部側に設けられた下嵌合具との２本の嵌合具を有し、
前記上嵌合具が、前記第１の気密嵌合具であり、
前記雌基部及び前記雄基部は、前記包装袋に接着された接着領域と前記包装袋に接着されていない遊離領域とを有し、
前記上嵌合具の前記一対の雌鉤爪及び前記一対の雄鉤爪は、前記接着領域にあり、
前記下嵌合具の前記一対の雌鉤爪及び前記一対の雄鉤爪は、前記遊離領域にあることを特徴とする請求項１〜３のいずれか一つに記載の嵌合具付き袋。
【請求項５】
前記下嵌合具は、前記雌部として一対の雌鉤爪と、前記雄部として一対の雄鉤爪と、前記一対の雌鉤爪又は前記一対の雄鉤爪のいずれか一方の内側に設けられた一対の突壁部と、前記一対の雌鉤爪又は前記一対の雄鉤爪のいずれか他方の内側に設けられた突条部と、を有し、前記一対の雌鉤爪と前記一対の雄鉤爪とが係合して係合部を形成すると同時に前記突条部の前記開口部側の側面の少なくとも一部が前記一対の突壁部の内側の側面のうち前記開口部側の側面に当接し、かつ、前記収容部側の側面の少なくとも一部が前記一対の突壁部の内側の側面のうち前記収容部側の側面に当接して密接部を形成する第２の気密嵌合具であり、
該第２の気密嵌合具は、前記一対の突壁部又は前記突条部が、前記雌基部から突出しており、かつ、前記一対の雌鉤爪が、前記雌基部から突出していることを特徴とする請求項４に記載の嵌合具付き袋。
【請求項６】
前記下嵌合具が、前記第１の気密嵌合具であることを特徴とする請求項４に記載の嵌合具付き袋。
【請求項７】
前記接着領域と前記遊離領域との境界は、前記下嵌合具の前記係合部よりも前記上嵌合具の前記係合部の近くにあることを特徴とする請求項４に記載の嵌合具付き袋。
【請求項８】
前記２本の嵌合具の前記雌基部は、それぞれ別個の部材であり、かつ、
前記２本の嵌合具の前記雄基部は、それぞれ別個の部材であることを特徴とする請求項４又は７に記載の嵌合具付き袋。
【請求項９】
前記２本の嵌合具の前記雌基部は、相互に一体の部材であり、かつ、
前記２本の嵌合具の前記雄基部は、相互に一体の部材であり、
前記雌基部及び前記雄基部は、それぞれ前記２本の嵌合具間に屈曲可能な屈曲部を有することを特徴とする請求項４又は７に記載の嵌合具付き袋。
【請求項１０】
前記嵌合具付き袋は、前記嵌合具として、前記開口部の縁側に設けられた上嵌合具と前記収容部側に設けられた下嵌合具との２本の嵌合具を有し、
前記上嵌合具が、前記第１の気密嵌合具であり、
前記雄基部は、全体において前記包装袋に接着されており、
前記雌基部は、前記包装袋に接着された接着領域と前記包装袋に接着されていない遊離領域とを有し、
前記上嵌合具の前記一対の雌鉤爪は、前記接着領域にあり、
前記下嵌合具の前記一対の雌鉤爪は、前記遊離領域にあることを特徴とする請求項１〜３のいずれか一つに記載の嵌合具付き袋。
【請求項１１】
前記下嵌合具は、前記雌部として一対の雌鉤爪と、前記雄部として一対の雄鉤爪と、前記一対の雌鉤爪又は前記一対の雄鉤爪のいずれか一方の内側に設けられた一対の突壁部と、前記一対の雌鉤爪又は前記一対の雄鉤爪のいずれか他方の内側に設けられた突条部と、を有し、前記一対の雌鉤爪と前記一対の雄鉤爪とが係合して係合部を形成すると同時に前記突条部の前記開口部側の側面の少なくとも一部が前記一対の突壁部の内側の側面のうち前記開口部側の側面に当接し、かつ、前記収容部側の側面の少なくとも一部が前記一対の突壁部の内側の側面のうち前記収容部側の側面に当接して密接部を形成する第２の気密嵌合具であり、
該第２の気密嵌合具は、前記一対の突壁部又は前記突条部が、前記雌基部から突出しており、かつ、前記一対の雌鉤爪が、前記雌基部から突出していることを特徴とする請求項１０に記載の嵌合具付き袋。
【請求項１２】
前記下嵌合具が、前記第１の気密嵌合具であることを特徴とする請求項１０に記載の嵌合具付き袋。
【請求項１３】
前記接着領域と前記遊離領域との境界は、前記下嵌合具の前記係合部よりも前記上嵌合具の前記係合部の近くにあることを特徴とする請求項１０に記載の嵌合具付き袋。
【請求項１４】
前記２本の嵌合具の前記雌基部は、それぞれ別個の部材であり、かつ、
前記２本の嵌合具の前記雄基部は、それぞれ別個の部材であることを特徴とする請求項１０又は１３に記載の嵌合具付き袋。
【請求項１５】
前記２本の嵌合具の前記雌基部は、相互に一体の部材であり、かつ、
前記２本の嵌合具の前記雄基部は、相互に一体の部材であり、
前記雌基部及び前記雄基部は、前記２本の嵌合具間に屈曲可能な屈曲部を有することを特徴とする請求項１０又は１３に記載の嵌合具付き袋。
【発明の詳細な説明】
【技術分野】
【０００１】
本開示は、再封止可能な気密用の嵌合具付き袋に関する。
【背景技術】
【０００２】
チャックのロック部とは別に、雄鉤爪の内側及び雌鉤爪の内側にそれぞれ結合可能なシール部を形成させることで、密閉性を高めたプラスチックチャックが提案されている（例えば、特許文献１〜５を参照。）。
【０００３】
袋本体の内部空間を第１の空間及び第２の空間に分割する仕切部材を設け、第１の空間は咬合具を介して外部と連通させるとともに、第２の空間は第１の空間を介して外部と連通させることで、水密性及び耐圧性を確保することができる咬合具付き袋が提案されている（例えば、特許文献６を参照。）。
【０００４】
嵌合基部と、嵌合部と、嵌合部に接合し嵌合基部に連結する支持部とを備えた帯状嵌合部材が提案されている（例えば、特許文献７を参照。）。
【０００５】
一方の帯状基部の幅方向における袋本体の開口部側のみを袋本体に取り付け、一方の帯状基部に開口部側にのみ突出する爪部を設けるとともに、他方の帯状基部に袋本体の内側にのみに突出する爪部を設けることで、内圧が作用した際に、帯状基部に剪断力が働き、高い封止性を得ることができるジッパーテープ付き袋体が提案されている（例えば、特許文献８〜１１を参照。）。
【０００６】
一方の帯状基部には、帯状基部の幅方向における収納空間とは反対側の係合部の基端に位置して、屈曲部が設けられることで、不用意な開封を防止することができるジッパーテープ付き袋体が提案されている（例えば、特許文献１２を参照。）。
【先行技術文献】
【特許文献】
【０００７】
【特許文献１】特開平８−３２４５９５号公報
【特許文献２】特開２００７−２０８７６号公報
【特許文献３】特開２０１３−５２８８１号公報
【特許文献４】特開２０１３−５１９９２号公報
【特許文献５】特開２０１４−１３３５８２号公報
【特許文献６】特開平１０−２０３５３９号公報
【特許文献７】特開２０１１−３６６４２号公報
【特許文献８】特開２０１５−１６９０３号公報
【特許文献９】特開２０１６−１０１９３６号公報
【特許文献１０】特開２０１６−１２７８８６号公報
【特許文献１１】特開２０１６−１２９６２８号公報
【特許文献１２】特開２０１７−６１３３７号公報
【発明の概要】
【発明が解決しようとする課題】
【０００８】
特許文献１〜５の技術は、シール部を設けてチャック自体の密閉性を高める技術である。しかし、これらの技術は、袋に内圧が作用してチャックの咬合を外そうとする力が加わったとき、チャックが外れにくくする技術ではない。
【０００９】
特許文献６の技術は、袋本体が衝撃によって加圧されても仕切部材によって咬合部に直接圧力がかかることを防止する技術である。しかし、この技術では、仕切部材によって内容物の出し入れがしにくくなるという問題がある。
【００１０】
特許文献７の技術は、嵌合基部と嵌合部との間に支持部があるため、袋の内圧が上昇しても嵌合部の嵌合が外れにくいことが予想される。しかし、この技術では、支持部が非常に細いため、強度に不安がある。
【００１１】
特許文献８〜１１の技術は、剪断力によって高い封止性を得る技術である。しかし、これらの技術では、雌部材が雌側帯状基部の幅方向における開口部側のみで袋本体に取り付けられており、雌側鉤部の直下では雌側帯状基部が袋本体に接着されていない。これによって、ジッパーを開封時に袋本体の開口部の縁が互いに離間する方向に引っ張られると、雌側鉤部は、雄側鉤部に引っ張られて、雄部材側に移動する。そして、袋本体の開口部の縁が離間する方向に更に引っ張られることで、ようやく、雌側鉤部が雄側鉤部から外れる。このように、特許文献８〜１１の技術は、雌側鉤部の直下で雌側帯状基部が袋本体と接着している場合と比較して、開封しにくいという問題がある。
【００１２】
特許文献１２の技術は、剪断力によって高い封止性を得る技術である。しかし、この技術は、嵌合具の気密性を向上させる技術ではない。
【００１３】
本開示は、嵌合具を閉鎖した後に、袋内に空気が入り込みにくく、かつ、袋内の圧力上昇などによって嵌合具の咬合を外そうとする力が加わったとき、嵌合具が外れることを防止することができる気密性を有する嵌合具付き袋を提供することを目的とする。
【課題を解決するための手段】
【００１４】
本発明に係る嵌合具付き袋は、合成樹脂製の表側フィルム及び裏側フィルムよりなる収容部と開口部とを有する包装袋と、前記開口部の縁に沿って前記表側フィルムと前記裏側フィルムの内側面にそれぞれ設けられた帯状の嵌合具と、を備え、該嵌合具は、帯状の雌基部と該雌基部の長手方向に沿って設けられた雌部とを有する雌部材と、帯状の雄基部と該雄基部の長手方向に沿って設けられた雄部とを有する雄部材と、を有する嵌合具付き袋において、前記嵌合具の少なくとも一つは、前記雌部として一対の雌鉤爪と、前記雄部として一対の雄鉤爪と、前記一対の雌鉤爪又は前記一対の雄鉤爪のいずれか一方の内側に設けられた一対の突壁部と、前記一対の雌鉤爪又は前記一対の雄鉤爪のいずれか他方の内側に設けられた突条部と、を有し、前記一対の雌鉤爪と前記一対の雄鉤爪とが係合して係合部を形成すると同時に前記突条部の前記開口部側の側面の少なくとも一部が前記一対の突壁部の内側の側面のうち前記開口部側の側面に当接し、かつ、前記収容部側の側面の少なくとも一部が前記一対の突壁部の内側の側面のうち前記収容部側の側面に当接して密接部を形成する第１の気密嵌合具であり、該第１の気密嵌合具は、前記一対の突壁部又は前記突条部が、前記雌基部から突出しており、かつ、前記一対の雌鉤爪が、前記一対の突壁部の外側の側面又は前記突条部の側面から突出していることを特徴とする。
【００１５】
本発明に係る嵌合具付き袋では、前記一対の突壁部は、前記一対の雌鉤爪の内側に設けられ、前記突条部は、前記一対の雄鉤爪の内側に設けられることが好ましい。係合部が形成される時、雌鉤爪が雄鉤爪を突壁部に押し付けることによって突壁部が突条部により強く密着するため、気密性をより向上させることができる。
【００１６】
本発明に係る嵌合具付き袋では、前記嵌合具付き袋は、前記嵌合具として、前記開口部の縁側に設けられた上嵌合具と前記収容部側に設けられた下嵌合具との２本の嵌合具を有し、該２本の嵌合具のいずれか一方又は両方の嵌合具が、前記第１の気密嵌合具であることが好ましい。２本の嵌合具によって、封止性及び気密性をより向上させることができる。
【００１７】
本発明に係る嵌合具付き袋では、前記嵌合具付き袋は、前記嵌合具として、前記開口部の縁側に設けられた上嵌合具と前記収容部側に設けられた下嵌合具との２本の嵌合具を有し、前記上嵌合具が、前記第１の気密嵌合具であり、前記雌基部及び前記雄基部は、前記包装袋に接着された接着領域と前記包装袋に接着されていない遊離領域とを有し、前記上嵌合具の前記一対の雌鉤爪及び前記一対の雄鉤爪は、前記接着領域にあり、前記下嵌合具の前記一対の雌鉤爪及び前記一対の雄鉤爪は、前記遊離領域にあることが好ましい。上嵌合具の第１の気密嵌合具では、包装袋に内圧が作用して包装袋が広げられる方向に力が加わって、雌基部が屈曲しても、一対の雌鉤爪は倒れない。このため、嵌合具の咬合状態を確保することができ、高い封止性が得られる。さらに、下嵌合具では、パスカルの原理によって嵌合具を閉じる力が働くので、嵌合具の咬合が外れることを防止することができる。
【００１８】
本発明に係る嵌合具付き袋では、前記下嵌合具は、前記雌部として一対の雌鉤爪と、前記雄部として一対の雄鉤爪と、前記一対の雌鉤爪又は前記一対の雄鉤爪のいずれか一方の内側に設けられた一対の突壁部と、前記一対の雌鉤爪又は前記一対の雄鉤爪のいずれか他方の内側に設けられた突条部と、を有し、前記一対の雌鉤爪と前記一対の雄鉤爪とが係合して係合部を形成すると同時に前記突条部の前記開口部側の側面の少なくとも一部が前記一対の突壁部の内側の側面のうち前記開口部側の側面に当接し、かつ、前記収容部側の側面の少なくとも一部が前記一対の突壁部の内側の側面のうち前記収容部側の側面に当接して密接部を形成する第２の気密嵌合具であり、該第２の気密嵌合具は、前記一対の突壁部又は前記突条部が、前記雌基部から突出しており、かつ、前記一対の雌鉤爪が、前記雌基部から突出していることが好ましい。下嵌合具の気密性をより向上させることができる。
【００１９】
本発明に係る嵌合具付き袋では、前記下嵌合具が、前記第１の気密嵌合具であることが好ましい。下嵌合具の封止性及び気密性をより向上させることができる。
【００２０】
本発明に係る嵌合具付き袋では、前記接着領域と前記遊離領域との境界は、前記下嵌合具の前記係合部よりも前記上嵌合具の前記係合部の近くにあることが好ましい。包装袋に内圧が作用して包装袋が広げられる方向に力が加わったとしても、当該力が下嵌合具に与える影響をより小さくすることができる。その結果、前記力によって、下嵌合具の咬合が外れることを防止することができる。
【００２１】
本発明に係る嵌合具付き袋では、前記２本の嵌合具の前記雌基部は、それぞれ別個の部材であり、かつ、前記２本の嵌合具の前記雄基部は、それぞれ別個の部材であることが好ましい。包装袋に内圧が作用して包装袋が広げられる方向に力が加わったとしても、当該力が下嵌合具に与える影響をより小さくすることができる。その結果、前記力によって、下嵌合具の咬合が外れてしまうことを防止することができる。
【００２２】
本発明に係る嵌合具付き袋では、前記２本の嵌合具の前記雌基部は、相互に一体の部材であり、かつ、前記２本の嵌合具の前記雄基部は、相互に一体の部材であり、前記雌基部及び前記雄基部は、それぞれ前記２本の嵌合具間に屈曲可能な屈曲部を有することが好ましい。包装袋に内圧が作用して包装袋が広げられる方向に力が加わったとしても、当該力が下嵌合具に与える影響をより小さくすることができる。その結果、前記力によって、下嵌合具の咬合が外れてしまうことを防止することができる。
【００２３】
本発明に係る嵌合具付き袋では、前記嵌合具付き袋は、前記嵌合具として、前記開口部の縁側に設けられた上嵌合具と前記収容部側に設けられた下嵌合具との２本の嵌合具を有し、前記上嵌合具が、前記第１の気密嵌合具であり、前記雄基部は、全体において前記包装袋に接着されており、前記雌基部は、前記包装袋に接着された接着領域と前記包装袋に接着されていない遊離領域とを有し、前記上嵌合具の前記一対の雌鉤爪は、前記接着領域にあり、前記下嵌合具の前記一対の雌鉤爪は、前記遊離領域にあることが好ましい。上嵌合具の第１の気密嵌合具では、包装袋に内圧が作用して包装袋が広げられる方向に力が加わり、雌基部が屈曲しても、一対の雌鉤爪は倒れない。このため、嵌合具の咬合状態を確保することができ、高い封止性が得られる。さらに、下嵌合具では、包装袋に内圧が作用して袋が広げられる方向に力が加わったとき、雌基部には袋本体と嵌合具との接着点の方向にせん断応力が作用するとともに、パスカルの原理によって雌基部が雄基部側に押し付けられる力が作用するので、下嵌合具の咬合が外れることを防止することができる。
【００２４】
本発明に係る嵌合具付き袋では、前記下嵌合具は、前記雌部として一対の雌鉤爪と、前記雄部として一対の雄鉤爪と、前記一対の雌鉤爪又は前記一対の雄鉤爪のいずれか一方の内側に設けられた一対の突壁部と、前記一対の雌鉤爪又は前記一対の雄鉤爪のいずれか他方の内側に設けられた突条部と、を有し、前記一対の雌鉤爪と前記一対の雄鉤爪とが係合して係合部を形成すると同時に前記突条部の前記開口部側の側面の少なくとも一部が前記一対の突壁部の内側の側面のうち前記開口部側の側面に当接し、かつ、前記収容部側の側面の少なくとも一部が前記一対の突壁部の内側の側面のうち前記収容部側の側面に当接して密接部を形成する第２の気密嵌合具であり、該第２の気密嵌合具は、前記一対の突壁部又は前記突条部が、前記雌基部から突出しており、かつ、前記一対の雌鉤爪が、前記雌基部から突出していることが好ましい。下嵌合具の気密性をより向上させることができる。
【００２５】
本発明に係る嵌合具付き袋では、前記下嵌合具が、前記第１の気密嵌合具であることが好ましい。下嵌合具の封止性及び気密性をより向上させることができる。
【００２６】
本発明に係る嵌合具付き袋では、前記接着領域と前記遊離領域との境界は、前記下嵌合具の前記係合部よりも前記上嵌合具の前記係合部の近くにあることが好ましい。包装袋に内圧が作用して包装袋が広げられる方向に力が加わったとしても、当該力が下嵌合具に与える影響をより小さくすることができる。その結果、前記力によって、下嵌合具の咬合が外れてしまうことを防止することができる。
【００２７】
本発明に係る嵌合具付き袋では、前記２本の嵌合具の前記雌基部は、それぞれ別個の部材であり、かつ、前記２本の嵌合具の前記雄基部は、それぞれ別個の部材であることが好ましい。包装袋に内圧が作用して包装袋が広げられる方向に力が加わったとしても、当該力が下嵌合具に与える影響をより小さくすることができる。その結果、前記力によって、下嵌合具の咬合が外れてしまうことを防止することができる。
【００２８】
本発明に係る嵌合具付き袋では、前記２本の嵌合具の前記雌基部は、相互に一体の部材であり、かつ、前記２本の嵌合具の前記雄基部は、相互に一体の部材であり、前記雌基部及び前記雄基部は、前記２本の嵌合具間に屈曲可能な屈曲部を有することが好ましい。包装袋に内圧が作用して包装袋が広げられる方向に力が加わったとしても、当該力が下嵌合具に与える影響をより小さくすることができる。その結果、前記力によって、下嵌合具の咬合が外れてしまうことを防止することができる。
【発明の効果】
【００２９】
本開示によれば、嵌合具を閉鎖した後に、袋内に空気が入り込みにくく、かつ、袋内の圧力上昇などによって嵌合具の咬合を外そうとする力が加わったとき、嵌合具が外れることを防止することができる気密性を有する嵌合具付き袋を提供することができる。
【図面の簡単な説明】
【００３０】
【図１】本実施形態に係る嵌合具付袋の一例を示す正面図である。
【図２】図１のＡ−Ａ線断面図の第一例である。
【図３】図２の上嵌合具の断面拡大図である。
【図４】図２の嵌合具の変形例の断面拡大図である。
【図５】図４の上嵌合具の断面拡大図である。
【図６】図１のＡ−Ａ線断面図の第二例である。
【図７】図６の嵌合具の変形例１の断面拡大図である。
【図８】図６の嵌合具の変形例２の断面拡大図である。
【図９】図６の嵌合具の変形例３の断面拡大図である。
【図１０】図１のＡ−Ａ線断面図の第三例である。
【図１１】図１０の嵌合具の変形例１の断面拡大図である。
【図１２】図１０の嵌合具の変形例２の断面拡大図である。
【図１３】図１０の嵌合具の変形例３の断面拡大図である。
【図１４】第１の気密嵌合具の変形形態を示す断面図である。
【発明を実施するための形態】
【００３１】
次に、本発明について実施形態を示して詳細に説明するが本発明はこれらの記載に限定して解釈されない。本発明の効果を奏する限り、実施形態は種々の変形をしてもよい。
【００３２】
（第一例）
図１及び図２を参照して本実施形態に係る嵌合具付き袋について説明する。本実施形態に係る嵌合具付き袋１００は、図１に示すように、合成樹脂製の表側フィルム及び裏側フィルムよりなる収容部４と開口部１とを有する包装袋８と、開口部１の縁に沿って表側フィルムと裏側フィルムの内側面にそれぞれ設けられた帯状の嵌合具２，３と、を備え、嵌合具２，３は、図２に示すように、帯状の雌基部１０と雌基部１０の長手方向に沿って設けられた雌部１１とを有する雌部材１２と、帯状の雄基部１３と雄基部１３の長手方向に沿って設けられた雄部１４とを有する雄部材１５と、を有する嵌合具付き袋において、嵌合具２，３の少なくとも一つは、雌部１１として一対の雌鉤爪と、雄部１４として一対の雄鉤爪と、一対の雌鉤爪１１の内側に設けられた一対の突壁部５１と、一対の雄鉤爪１４の内側に設けられた突条部５２と、を有し、一対の雌鉤爪１１と一対の雄鉤爪１４とが係合して係合部を形成すると同時に突条部５２の開口部１側の側面の少なくとも一部が一対の突壁部５１の内側の側面のうち開口部１側の側面に当接し、かつ、収容部４側の側面の少なくとも一部が一対の突壁部５１の内側の側面のうち収容部４側の側面に当接して密接部を形成する第１の気密嵌合具Ｚ１であり、第１の気密嵌合具Ｚ１は、一対の突壁部５１が、雌基部１０から突出しており、かつ、一対の雌鉤爪１１が、一対の突壁部５１の外側の側面から突出している。
【００３３】
包装袋８は、例えば図１に示すように、表側フィルム及び裏側フィルムの２枚の基材フィルムからなり、一辺に開口部１を有し、その他の辺に基材フィルム同士を融着させた融着部５，６を有する。収容部４は、開口部１に連通する包装袋８の内部空間である。基材フィルムは、例えば、ポリエチレン又はポリプロピレンなどの合成樹脂製であり、単層フィルムであるか、又は積層フィルムであってもよい。
【００３４】
嵌合具２，３は、図２に示すように、雌部材１２及び雄部材１５を有する帯状部材であり、包装袋８の開口部１の縁の近傍において基材フィルムの内壁に接着されている。本明細書において、帯状とは、開口部１の縁に沿うことができるような細長い形状をいう。また、接着とは、接着剤などを介在させて固着する形態及び接着剤などを介在させずに例えば融着などによって固着する形態を包含する。雌部材１２は、雌基部１０と雌部１１とを有する。雌基部１０は、包装袋の一方の基材フィルムに接着される。第一例の嵌合具付き袋１００では、雌基部１０は、図２に示すように全体において包装袋８に接着されることが好ましい。雌部１１は、雄部１４と係脱可能に係合して係合部を形成する。雄部材１５は、雄基部１３と雄部１４とを有する。雄基部１３は、包装袋の他方の基材フィルムに接着される。第一例の嵌合具付き袋１００では、雄基部１３は、図２に示すように全体において包装袋８に接着されることが好ましい。雄部１４は、雌部１１と係脱可能に係合して係合部を形成する。嵌合具２，３は、例えば、ポリエチレン又はポリプロピレンなどの合成樹脂製である。嵌合具２，３の本数は、特に限定されず、１本であるか（不図示）、２本であるか（図１及び図２に図示）、又は２本以上であってもよい。
【００３５】
嵌合具２，３のうち少なくとも一つは第１の気密嵌合具Ｚ１である。第１の気密嵌合具Ｚ１は、図２に示すように、雌部として一対の雌鉤爪１１と、雄部として一対の雄鉤爪１４と、一対の突壁部５１と、突条部５２と、を有する。一対の雌鉤爪１１は、断面形状が略Ｕ字形状又は凹形状であって、その両側の先端に互いに向き合う向きに鉤部が設けられた形状を有する。一対の雄鉤爪１４は、断面形状が略Ｕ字形状又は凹形状であって、その両側の先端に互いに背中合わせとなる向きに鉤部が設けられた形状を有する。一対の雄鉤爪１４が一対の雌鉤爪１１の間に押し込まれて、互いの鉤部が係合することによって係合部が形成される。突壁部５１は、雌基部１０から雄基部１３に向かって突出する。２つの突壁部５１は、並列して設けられる。各突壁部５１の断面形状は、特に限定されないが、例えば、図２に示す三角形状の他、半円形状、楕円形状又は矩形状であってもよい。一対の突壁部５１の内側の側面同士、すなわち突壁部５１の側面のうち互いに向かい合う側面同士は、断面視において、突壁部５１の根元に近づくにしたがって先細りの形状をなすことが好ましい。図２では、先細りの形状の一例として、略Ｖ字形状を示した。内側の側面同士が先細りの形状をなすことによって、突条部５２を一対の突壁部５１の間により強く密着させることができるため、気密性をより向上させることができる。突条部５２は、雄基部１３から雌基部１０に向かって突出する。突条部５２は、係合部が形成される時、一対の突壁部５１の間に入り込む。そして、突条部５２の開口部１側の側面の少なくとも一部が一対の突壁部５１の内側の側面のうち開口部１側の側面に当接し、かつ、突条部５２の収容部４側の側面の少なくとも一部が一対の突壁部５１の内側の側面のうち収容部４側の側面に当接することによって、密接部が形成される。第１の気密嵌合具Ｚ１では、この密接部によって気密性を確保することができる。突条部５２の断面形状は、密接部を形成可能であればよく、特に限定されないが、例えば、図２に示す三角形状の他、半円形状、楕円形状又は矩形状であってもよい。
【００３６】
本実施形態に係る嵌合具付き袋１００では、図２に示すように、一対の突壁部５１が一対の雌鉤爪１１の内側に設けられ、突条部５２が一対の雄鉤爪１４の内側に設けられることが好ましい。係合部が形成される時、雌鉤爪１１が雄鉤爪１４を突壁部５１に押し付けることによって突壁部５１が突条部５２により強く密着するため、気密性をより向上させることができる。
【００３７】
図３は、図２の上嵌合具の断面拡大図である。第１の気密嵌合具Ｚ１は、次の条件１及び条件２を満たすことが好ましい。
（条件１）図３に示すように、突条部５２の断面の山角度をａ°、一対の突壁部５１の間の谷角度をｂ°としたとき、ａ≧ｂが成り立つ。
（条件２）図３に示すように、一対の雄鉤爪１４と突条部５２との間の谷角度をそれぞれｃ１°、ｃ２°とし、一対の突壁部５１の断面の山角度をそれぞれｄ１°、ｄ２°としたとき、ｃ１、ｃ２≦ｄ１、ｄ２が成り立つ。
条件１及び条件２において、突条部５２の断面の山角度又は突壁部５１の断面の山角度とは、突条部５２又は突壁部５１の両側面同士のなす角度である。また、一対の突壁部５１の間の谷角度又は一対の雄鉤爪１４と突条部５２との間の谷角度とは、向かい合う側面同士のなす角度である。例えば、ａは１５〜２０°、ｂは１０〜１５°、ｃ１は１０〜１５°、ｃ２は１０〜１５°、ｄ１は１５〜２０°、ｄ２は１５〜２０°であるが、本発明はこれらの数値に限定されない。また、ｃ１とｃ２とは同じ値であるか又は異なる値であってもよい。ｄ１とｄ２とは同じ値であるか又は異なる値であってもよい。
【００３８】
図２に示すように、第１の気密嵌合具Ｚ１では、一対の雌鉤爪１１は、雌基部１０から直接突出するものではなく、一対の雌鉤爪１１の根元は、雌基部１０上にはない。このような構成によって、第１の気密嵌合具Ｚ１では、図２において点線で示すように、包装袋８に内圧が作用して包装袋８が広げられる方向に力が加わり、雌基部１０が屈曲しても、一対の雌鉤爪１１は倒れない。このため、一対の雌鉤爪１１と一対の雄鉤爪１４との咬合状態を確保することができ、高い封止性が得られる。
【００３９】
本実施形態では、嵌合具付き袋１００は、図２に示すように、嵌合具２，３として、開口部１の縁側に設けられた上嵌合具２と収容部４側に設けられた下嵌合具３との２本の嵌合具を有し、２本の嵌合具２，３のいずれか一方又は両方の嵌合具が、第１の気密嵌合具Ｚ１であることが好ましい。２本の嵌合具２，３によって、封止性及び気密性をより向上させることができる。本実施形態では、上嵌合具２及び下嵌合具３の両方が第１の気密嵌合具Ｚ１である形態（図２に図示）、上嵌合具２がその他の嵌合具であり、下嵌合具３が第１の気密嵌合具Ｚ１である形態（図４に図示）、及び上嵌合具２が第１の気密嵌合具Ｚ１であり、下嵌合具３がその他の嵌合具である形態（不図示）を包含する。ここで、その他の嵌合具は、特に限定されず、例えば、図４に示すような気密嵌合具（以降、第２の気密嵌合具という。）Ｚ２であるか、又は、雌部１１として一対の雌鉤爪を有し、雄部１４として断面形状が矢尻状の頭部を有し、一対の雌鉤爪の間に頭部が嵌まることで咬合する嵌合具（例えば、特許文献３の図８に図示。）であってもよい。
【００４０】
図５は、図４の上嵌合具の断面拡大図である。第２の気密嵌合具Ｚ２は、図４及び図５に示すように、雌部１１として一対の雌鉤爪と、雄部１４として一対の雄鉤爪と、一対の雌鉤爪１１の内側に設けられた一対の突壁部５１と、一対の雄鉤爪１４の内側に設けられた突条部５２と、を有し、一対の雌鉤爪１１と一対の雄鉤爪１４とが係合して係合部を形成すると同時に突条部５２の開口部１側の側面の少なくとも一部が一対の突壁部５１の内側の側面のうち開口部１側の側面に当接し、かつ、収容部４側の側面の少なくとも一部が一対の突壁部５１の内側の側面のうち収容部４側の側面に当接して密接部を形成する嵌合具であって、一対の突壁部５１が、雌基部１０から突出しており、かつ、一対の雌鉤爪１１が、雌基部１０から突出している。第２の気密嵌合具Ｚ２は、第１の気密嵌合具Ｚ１と同様に、一対の突壁部５１と突条部５２とが密接部を形成することによって気密性を確保することができる嵌合具である。第２の気密嵌合具は、一対の雌鉤爪１１が雌基部１０から直接突出しており、一対の雌鉤爪１１の根元が雌基部１０上にある点で第１の気密嵌合具Ｚ１と相違するが、その他の基本的構成は、第１の気密嵌合具Ｚ１と同じである。例えば、第２の気密嵌合具Ｚ２は、図５に示すように、第１の気密嵌合具Ｚ１と同様に、前記の条件１及び条件２を満たすことが好ましい。
【００４１】
雌基部１０及び雄基部１３が全体において包装袋８に接着される場合、図２又は図４に示すように、少なくとも下嵌合具３が第１の気密嵌合具Ｚ１であることが好ましい。下嵌合具３を第１の気密嵌合具Ｚ１とすることで、包装袋８に内圧が作用して包装袋８が広げられる方向に力が加わり、下嵌合具３の雌基部１０が屈曲しても、下嵌合具３の一対の雌鉤爪１１は倒れないため、嵌合具３の咬合状態を確保することができ、高い封止性が得られる。
【００４２】
（第二例）
図６は、図１のＡ−Ａ線断面図の第二例である。本実施形態では、嵌合具付き袋１００は、嵌合具２，３として、開口部１の縁側に設けられた上嵌合具２と収容部４側に設けられた下嵌合具３との２本の嵌合具を有し、上嵌合具２が、第１の気密嵌合具Ｚ１であり、雌基部１０及び雄基部１３は、包装袋８に接着された接着領域Ｓ１と包装袋８に接着されていない遊離領域Ｓ２とを有し、上嵌合具２の一対の雌鉤爪１１及び一対の雄鉤爪１４は、接着領域Ｓ１にあり、下嵌合具３の一対の雌鉤爪１１及び一対の雄鉤爪１４は、遊離領域Ｓ２にあることが好ましい。図６において、矢印８１〜８４は包装袋８に内圧が作用した時に生じる力の方向を表す。より詳しくは、矢印８１は基材フィルムの内壁にかかる力の方向、矢印８２は開口部１が広げられる力の方向、矢印８３は収容部４内の空気又は内容物が漏出しようとする力の方向、矢印８４は遊離領域Ｓ２内の雌基部１０及び雄基部１３にかかる力の方向をそれぞれ表す。図６における各矢印８１〜８４の大きさ（長さ）は力の大きさとは関係がない。
【００４３】
図６に示すように、包装袋８に内圧が作用すると、包装袋８を広げる力が働き（矢印８１）、この矢印８１の力によって開口部１を開口する方向に力が働く（矢印８２）。上嵌合具２の第１の気密嵌合具Ｚ１では、矢印８２の力によって雌基部１０が屈曲したとしても（例えば図２において点線で示す。）、一対の雌鉤爪１１は倒れない。このため、上嵌合具２の咬合状態を確保することができ、高い封止性が得られる。さらに、下嵌合具３には、収容部４内の空気又は内容物が漏出しようとする力が働く（矢印８３）。しかし、下嵌合具３の雌基部１０及び雄基部１３には、パスカルの原理によって雌基部１０と雄基部１３とが互いに押し付け合う力が作用するので（矢印８４）、雌部１１と雄部１４とが密着して気密性を確保することができる。
【００４４】
本実施形態に係る嵌合具付き袋１００では、図６に示すように、下嵌合具３が、第１の気密嵌合具Ｚ１であることが好ましい。下嵌合具３を第１の気密嵌合具Ｚ１とすることで、下嵌合具３の封止性及び気密性をより向上させることができる。
【００４５】
本実施形態に係る嵌合具付き袋１００では、接着領域Ｓ１と遊離領域Ｓ２との境界Ｓ３は、下嵌合具３の係合部よりも上嵌合具２の係合部の近くにあることが好ましい。包装袋８に内圧が作用して開口部１が広げられる方向に力（図６の矢印８２）が加わると、下嵌合具３を開口部１側から開けようとする力が生じるおそれがあるところ、接着領域Ｓ１と遊離領域Ｓ２との境界Ｓ３を上嵌合具２の係合部の近くに設けることで、下嵌合具３を開口部１側から開けようとする力が下嵌合具３に与える影響をより小さくすることができる。その結果、下嵌合具３の咬合が外れてしまうことを防止することができる。接着領域Ｓ１と遊離領域Ｓ２との境界Ｓ３は、上嵌合具２の係合部に近ければ近いほど、下嵌合具３を開口部１側から開けようとする力が下嵌合具３に与える影響をより小さくすることができるため好ましい。
【００４６】
図７は、図６の嵌合具の変形例１の断面拡大図である。本実施形態に係る嵌合具付き袋１００では、下嵌合具３が第２の気密嵌合具Ｚ２であることが好ましい。下嵌合具３を第２の気密嵌合具Ｚ２とすることで、下嵌合具３の気密性をより向上させることができる。
【００４７】
図８は、図６の嵌合具の変形例２の断面拡大図である。図８に示すように、本実施形態に係る嵌合具付き袋１００では、２本の嵌合具２，３の雌基部１０は、それぞれ別個の部材であり、かつ、２本の嵌合具２，３の雄基部１３は、それぞれ別個の部材であることが好ましい。包装袋８に内圧が作用して開口部１が広げられる方向に力（図６の矢印８２）が加わって下嵌合具３を開口部１側から開けようとする力が生じたとしても、当該力が下嵌合具３に与える影響をより小さくすることができる。その結果、下嵌合具３の咬合が外れてしまうことを防止することができる。
【００４８】
図８に示すように、２本の嵌合具２，３の雌基部１０が、それぞれ別個の部材であり、かつ、２本の嵌合具２，３の雄基部１３は、それぞれ別個の部材であるとき、接着領域Ｓ１と遊離領域Ｓ２との境界Ｓ３は、下嵌合具３の係合部よりも上嵌合具２の係合部の近くにあることが好ましい。下嵌合具３を開口部１側から開けようとする力が下嵌合具３に与える影響をより小さくして、下嵌合具３の咬合が外れてしまうことをより防止することができる。
【００４９】
図９は、図６の嵌合具の変形例３の断面拡大図である。図９に示すように、本実施形態に係る嵌合具付き袋１００では、２本の嵌合具２，３の雌基部１０は、相互に一体の部材であり、かつ、２本の嵌合具２，３の雄基部１３は、相互に一体の部材であり、雌基部１０及び雄基部１３は、それぞれ２本の嵌合具２，３間に屈曲可能な屈曲部１６を有することが好ましい。包装袋８に内圧が作用して開口部１が広げられる方向に力が加わって下嵌合具３を開口部１側から開けようとする力が生じたとしても、屈曲部１６が屈曲することで、当該力が下嵌合具３に与える影響をより小さくすることができる。その結果、下嵌合具３の咬合が外れてしまうことを防止することができる。屈曲部１６は、雌基部１０及び雄基部１３を屈曲しやすくするための加工部分であり、例えば、図９に示すような切欠き又は折れ線（不図示）である。
【００５０】
図９に示すように、雌基部１０及び雄基部１３が屈曲部１６を有するとき、接着領域Ｓ１と遊離領域Ｓ２との境界Ｓ３は、下嵌合具３の係合部よりも上嵌合具２の係合部の近くにあることが好ましい。下嵌合具３を開口部１側から開けようとする力が下嵌合具３に与える影響をより小さくして、下嵌合具３の咬合が外れてしまうことをより防止することができる。
【００５１】
（第三例）
図１０は、図１のＡ−Ａ線断面図の第三例である。本実施形態では、嵌合具付き袋１００は、嵌合具２，３として、開口部１の縁側に設けられた上嵌合具２と収容部４側に設けられた下嵌合具３との２本の嵌合具を有し、上嵌合具２が、第１の気密嵌合具Ｚ１であり、雄基部１３は、全体において包装袋８に接着されており、雌基部１０は、包装袋８に接着された接着領域Ｓ１と包装袋８に接着されていない遊離領域Ｓ２とを有し、上嵌合具２の一対の雌鉤爪１１は、接着領域Ｓ１にあり、下嵌合具３の一対の雌鉤爪１１は、遊離領域Ｓ２にあることが好ましい。図１０において、矢印９１〜９５は包装袋８に内圧が作用した時に生じる力の方向を表す。より詳しくは、矢印９１は基材フィルムの内壁にかかる力の方向、矢印９２，９３は開口部１が広げられる力の方向、矢印９４は遊離領域Ｓ２内の雌基部１０にかかる力の方向をそれぞれ表す。また、矢印９５は矢印９３の力によって生じる遊離領域Ｓ２内の雌部材に作用する力の方向を表す。図６における各矢印９１〜９５の大きさ（長さ）は力の大きさとは関係がない。
【００５２】
図１０に示すように、包装袋８に内圧が作用すると、包装袋８を広げる力が働き（矢印９１）、この矢印９１の力によって開口部１を開口する方向に力が働く（矢印９２，９３）。上嵌合具２の第１の気密嵌合具Ｚ１では、矢印９３の力によって雌基部１０が屈曲したとしても（例えば図２において点線で示す。）、一対の雌鉤爪１１は倒れない。このため、上嵌合具２の咬合状態を確保することができ、高い封止性が得られる。また、矢印９３の力によって、雌基材１０の接着点（接着領域Ｓ１と遊離領域Ｓ２との境界Ｓ３）に応力がかかり、遊離領域Ｓ２内の雌基材１０をせん断させる方向に力が作用する（矢印９５）。矢印９２の力の方向と矢印９５の力の方向とは、下嵌合具３の収容部４側の雌部１１と雄部１４とが互いに咬合する方向となり、雌部１１と雄部１４とが密着して気密性を確保することができる。さらに、下嵌合具３の雌基部１０には、パスカルの原理によって雌基部１０が雄基部１３側に押し付けられる力が作用するので（矢印９４）、雌部１１と雄部１４とが密着して気密性を確保することができる。
【００５３】
本実施形態に係る嵌合具付き袋１００では、図１０に示すように、下嵌合具３が、第１の気密嵌合具Ｚ１であることが好ましい。下嵌合具３を第１の気密嵌合具Ｚ１とすることで、下嵌合具３の封止性及び気密性をより向上させることができる。
【００５４】
本実施形態に係る嵌合具付き袋１００では、接着領域Ｓ１と遊離領域Ｓ２との境界Ｓ３は、下嵌合具３の係合部よりも上嵌合具２の係合部の近くにあることが好ましい。包装袋８に内圧が作用して開口部１が広げられる方向に力（図１０の矢印９２，９３）が加わると、下嵌合具３を開口部１側から開けようとする力が生じるおそれがあるところ、接着領域Ｓ１と遊離領域Ｓ２との境界Ｓ３を上嵌合具２の係合部の近くに設けることで、下嵌合具３を開口部１側から開けようとする力が下嵌合具３に与える影響をより小さくすることができる。その結果、下嵌合具３の咬合が外れてしまうことを防止することができる。接着領域Ｓ１と遊離領域Ｓ２との境界Ｓ３は、上嵌合具２の係合部に近ければ近いほど、下嵌合具３を開口部１側から開けようとする力が下嵌合具３に与える影響をより小さくすることができるため好ましい。
【００５５】
図１１は、図１０の嵌合具の変形例１の断面拡大図である。図１１に示すように、本実施形態に係る嵌合具付き袋１００では、下嵌合具３が第２の気密嵌合具Ｚ２であることが好ましい。下嵌合具３を第２の気密嵌合具Ｚ２とすることで、下嵌合具３の気密性をより向上させることができる。
【００５６】
図１２は、図１０の嵌合具の変形例２の断面拡大図である。本実施形態に係る嵌合具付き袋１００では、２本の嵌合具２，３の雌基部１０は、それぞれ別個の部材であり、かつ、２本の嵌合具２，３の雄基部１３は、それぞれ別個の部材であることが好ましい。包装袋８に内圧が作用して開口部１が広げられる方向に力（図１０の矢印９２，９３）が加わって下嵌合具３を開口部１側から開けようとする力が生じたとしても、屈曲部１６が屈曲することで、当該力が下嵌合具３に与える影響をより小さくすることができる。その結果、下嵌合具３の咬合が外れてしまうことを防止することができる。
【００５７】
図１２に示すように、２本の嵌合具２，３の雌基部１０が、それぞれ別個の部材であり、かつ、２本の嵌合具２，３の雄基部１３は、それぞれ別個の部材であるとき、接着領域Ｓ１と遊離領域Ｓ２との境界Ｓ３は、下嵌合具３の係合部よりも上嵌合具２の係合部の近くにあることが好ましい。下嵌合具３を開口部１側から開けようとする力が下嵌合具３に与える影響をより小さくして、下嵌合具３の咬合が外れてしまうことをより防止することができる。
【００５８】
図１３は、図１０の嵌合具の変形例３の断面拡大図である。本実施形態に係る嵌合具付き袋１００では、２本の嵌合具２，３の雌基部１０は、相互に一体の部材であり、かつ、２本の嵌合具２，３の雄基部１３は、相互に一体の部材であり、雌基部１０及び雄基部１３は、２本の嵌合具２，３間に屈曲可能な屈曲部１６を有することが好ましい。包装袋８に内圧が作用して開口部１が広げられる方向に力が加わって下嵌合具３を開口部１側から開けようとする力が生じたとしても、当該力が下嵌合具３に与える影響をより小さくすることができる。その結果、下嵌合具３の咬合が外れてしまうことを防止することができる。屈曲部１６は、雌基部１０及び雄基部１３を屈曲しやすくするための加工部分であり、例えば、図１３に示すような切欠き又は折れ線（不図示）である。
【００５９】
図１３に示すように、雌基部１０及び雄基部１３が屈曲部１６を有するとき、接着領域Ｓ１と遊離領域Ｓ２との境界Ｓ３は、下嵌合具３の係合部よりも上嵌合具２の係合部の近くにあることが好ましい。下嵌合具３を開口部１側から開けようとする力が下嵌合具３に与える影響をより小さくして、下嵌合具３の咬合が外れてしまうことをより防止することができる。
【００６０】
図１４は、第１の気密嵌合具の変形形態を示す断面図である。本実施形態に係る嵌合具付き袋１００は、図２、図３、図４、図６、図７、図８、図９、図１０、図１１、図１２及び図１３に示した第１の気密嵌合具Ｚ１において一対の突壁部５１と突条部５２との位置を入れ替える変形をした形態を包含する。すなわち、本実施形態に係る嵌合具付き袋１００は、合成樹脂製の表側フィルム及び裏側フィルムよりなる収容部４と開口部１とを有する包装袋８と、開口部１の縁に沿って表側フィルムと裏側フィルムの内側面にそれぞれ設けられた帯状の嵌合具２，３と、を備え、嵌合具２，３は、帯状の雌基部１０と雌基部１０の長手方向に沿って設けられた雌部１１とを有する雌部材１２と、帯状の雄基部１３と雄基部１３の長手方向に沿って設けられた雄部１４とを有する雄部材１５と、を有する嵌合具付き袋において、嵌合具２，３の少なくとも一つは、図１４に示すように、雌部１１として一対の雌鉤爪と、雄部１４として一対の雄鉤爪と、一対の雄鉤爪１４の内側に設けられた一対の突壁部５１と、一対の雌鉤爪１１の内側に設けられた突条部５２と、を有し、一対の雌鉤爪１１と一対の雄鉤爪１４とが係合して係合部を形成すると同時に突条部５２の開口部１側の側面の少なくとも一部が一対の突壁部５１の内側の側面のうち開口部１側の側面に当接し、かつ、収容部４側の側面の少なくとも一部が一対の突壁部５１の内側の側面のうち収容部４側の側面に当接して密接部を形成する第１の気密嵌合具Ｚ１であり、第１の気密嵌合具Ｚ１は、突条部５２が、雌基部１０から突出しており、かつ、一対の雌鉤爪１１が、突条部５２の側面から突出していてもよい。
【００６１】
本実施形態に係る嵌合具付き袋１００は、図４、図５、図７及び図１１に示した第２の気密嵌合具Ｚ２において一対の突壁部５１と突条部５２との位置を入れ替える変形をした形態を包含する。すなわち、第２の気密嵌合具Ｚ２は、雌部１１として一対の雌鉤爪と、雄部１４として一対の雄鉤爪と、一対の雄鉤爪１４の内側に設けられた一対の突壁部５１と、一対の雌鉤爪１１の内側に設けられた突条部５２と、を有し、一対の雌鉤爪１１と一対の雄鉤爪１４とが係合して係合部を形成すると同時に突条部５２の開口部１側の側面の少なくとも一部が一対の突壁部５１の内側の側面のうち開口部１側の側面に当接し、かつ、収容部４側の側面の少なくとも一部が一対の突壁部５１の内側の側面のうち収容部４側の側面に当接して密接部を形成する嵌合具であって、突条部５２が、雌基部１０から突出しており、かつ、一対の雌鉤爪１１が、雌基部１０から突出していてもよい。
【符号の説明】
【００６２】
１００  嵌合具付き袋
１  開口部
２  嵌合具（上嵌合具）
３  嵌合具（下嵌合具）
４  収容部
５，６  融着部
８  包装袋
１０  雌基部
１１  雌部、雌鉤爪
１２  雌部材
１３  雄基部
１４  雄部、雄鉤爪
１５  雄部材
１６  屈曲部
５１  突壁部
５２  突条部
８１  基材フィルムの内壁にかかる力の方向
８２  開口部が広げられる力の方向
８３  収容部内の空気又は内容物が漏出しようとする方向
８４  遊離領域内の雌基部及び雄基部にかかる力の方向
９１  基材フィルムの内壁にかかる力の方向
９２，９３  開口部が広げられる力の方向
９４  遊離領域内の雌基部にかかる力の方向
９５  矢印９３の力によって生じる遊離領域内の雌部材に作用する力の方向
Ｓ１  接着領域
Ｓ２  遊離領域
Ｓ３  境界
Ｚ１  第１の気密嵌合具
Ｚ２  第２の気密嵌合具
【図１】
2019202792.tif 000003
【図２】
2019202792.tif 000004
【図３】
2019202792.tif 000005
【図４】
2019202792.tif 000006
【図５】
2019202792.tif 000007
【図６】
2019202792.tif 000008
【図７】
2019202792.tif 000009
【図８】
2019202792.tif 000010
【図９】
2019202792.tif 000011
【図１０】
2019202792.tif 000012
【図１１】
2019202792.tif 000013
【図１２】
2019202792.tif 000014
【図１３】
2019202792.tif 000015
【図１４】
2019202792.tif 000016